(57)【要約】【課題】ワクチンや麻酔薬等の医薬品について、適切な量、種類、質の麻酔薬の在庫及び患者へ投与を可能とする技術を提供する。【解決手段】一または複数の医薬品の使用に際し該一または複数の医薬品を一時的に収納する収納手段と、一または複数の医薬品の各々に施された第一の識別子と、収納手段に施された第二の識別子と、第一の識別子により前記一または複数の医薬品を識別するとともに第二の識別子により収納手段を識別する識別手段と、識別手段により識別された、一または複数の医薬品と医薬品が収納された収納手段と、を関連付けて記憶する記憶手段と、を備える。【選択図】図３
2019135633.tif 000002
【特許請求の範囲】
【請求項１】
一または複数の医薬品を一時的に収納する収納手段と、
前記一または複数の医薬品の各々に施された第一の識別子と、
前記収納手段に施された第二の識別子と、
前記第一の識別子により前記一または複数の医薬品を識別するとともに前記第二の識別子により前記収納手段を識別する識別手段と、
前記識別手段により識別された、前記一または複数の医薬品と該医薬品が収納された前記収納手段と、を関連付けて記憶する記憶手段と、
を備えることを特徴とする、医薬品管理システム。
【請求項２】
前記一または複数の医薬品が使用された患者に付与される第三の識別子をさらに備え、
前記識別手段は、前記第三の識別子により前記患者を識別し、
前記記憶手段は、前記識別手段により識別された、前記一または複数の医薬品と該医薬品が収納された前記収納手段と該医薬品が使用された患者と、を関連付けて記憶することを特徴とする、請求項１に記載の医薬品管理システム。
【請求項３】
前記記憶手段により記憶された、前記識別手段により識別された、前記一または複数の医薬品と該医薬品が使用された患者との関連に基づいて、前記患者への医薬品の使用計画を作成する計画作成手段をさらに備えることを特徴とする、請求項２に記載の医薬品管理システム。
【請求項４】
前記医薬品は予防接種用ワクチンであり、前記収納手段は患者単位に設けられた予防接種トレイであり、
前記第三の識別子は、前記患者に付与される患者カードに施されることを特徴とする、請求項３に記載の医薬品管理システム。
【請求項５】
前記識別手段により、前記医薬品の使用前後における前記収納手段と、該収納手段に収納された医薬品とを識別することで、前記収納手段に収納された前記医薬品のうち使用された医薬品を検出する使用医薬品検出手段をさらに備えることを特徴とする、請求項１から４のいずれか一項に記載の医薬品管理システム。
【請求項６】
前記使用医薬品検出手段によって検出された内容に基づいて、
前記使用された医薬品の補充のための情報を作成する補充情報作成手段をさらに備えることを特徴とする、請求項５に記載の医薬品管理システム。
【請求項７】
前記記憶手段は、前記収納手段に収納されるべき医薬品の組み合わせの情報である収納医薬品情報を記憶し、
前記収納手段に収納された医薬品と、前記収納医薬品情報との差を検出する、誤収納検出手段をさらに備えることを特徴とする、請求項１から６のいずれか一項に記載の医薬品管理システム。
【請求項８】
前記収納手段に収納された医薬品の使用期限および／または保管状態に基づいて、前記医薬品が使用可能か否かを判定する使用可否判定手段をさらに備えることを特徴とする、請求項１から７のいずれか一項に記載の医薬品管理システム。
【請求項９】
前記医薬品を該医薬品に応じた環境条件を維持しつつ保管する環境維持保管手段と、
前記環境維持保管手段における前記環境条件に関する情報を取得する保管環境検知手段と、
前記医薬品が前記環境維持保管手段によって保管されていることを検知する保管状態検
知手段と、をさらに備え、
前記使用可否判定手段は、前記保管環境検知手段及び前記保管状態検知手段による検知情報に基づいて、前記医薬品が使用可能か否かを判定することを特徴とする、請求項８に記載の医薬品管理システム。
【請求項１０】
前記医薬品を該医薬品に応じた環境条件を維持しつつ運搬することが可能な環境維持運搬手段と
前記環境維持運搬手段における前記環境条件に関する情報を取得する運搬環境検知手段と、
前記医薬品が前記環境維持運搬手段によって運搬されていることを検知する運搬状態検知手段と、
をさらに備え、
前記使用可否判定手段は、前記保管環境検知手段、前記運搬環境検知手段、前記保管状態検知手段及び、前記運搬状態検知手段による検知情報に基づいて、前記医薬品が使用可能か否かを判定することを特徴とする、請求項９に記載の医薬品管理システム。
【請求項１１】
一または複数の医薬品を一時的に収納する収納手段と、
前記一または複数の医薬品の各々に施された第一の識別子と、
前記収納手段に施された第二の識別子と、
前記第一の識別子により前記一または複数の医薬品を識別するとともに前記第二の識別子により前記収納手段を識別する識別手段と、を有し、
前記識別手段により識別された、前記一または複数の医薬品と該医薬品が収納された前記収納手段と、を関連付けて管理することを特徴とする、医薬品管理方法。
【請求項１２】
前記一または複数の医薬品が使用された患者に付与される第三の識別子をさらに備え、
前記識別手段は、前記第三の識別子により前記患者を識別し、
前記識別手段により識別された、前記一または複数の医薬品と該医薬品が使用された患者と、を関連付けて管理することを特徴とする、請求項１１に記載の医薬品管理方法。
【請求項１３】
前記識別手段により識別された、前記一または複数の医薬品と該医薬品が使用された患者との関連に基づいて、前記患者への医薬品の使用計画を作成することを特徴とする、請求項１２に記載の医薬品管理方法。
【請求項１４】
前記医薬品は予防接種用ワクチンであり、前記収納手段は患者単位に設けられた予防接種トレイであり、
前記第三の識別子は、前記患者に付与される患者カードに施されることを特徴とする、請求項１２または１３に記載の医薬品管理方法。
【請求項１５】
前記識別手段により、前記医薬品の使用前後における前記収納手段と、該収納手段に収納された医薬品とを識別することで、前記収納手段に収納された前記医薬品のうち使用された医薬品を管理することを特徴とする、請求項１１から１４のいずれか一項に記載の医薬品管理方法。
【請求項１６】
前記識別手段により、前記医薬品の使用前後における前記収納手段と、該収納手段に収納された医薬品とを識別することで、前記収納手段に収納された前記医薬品のうち使用された医薬品を検出し、検出された内容に基づいて、前記使用された医薬品の補充のための情報を作成することを特徴とする、請求項１１から１４のいずれか一項に記載の医薬品管理方法。
【請求項１７】
前記収納手段に収納されるべき医薬品の組み合わせの情報である収納医薬品情報を記憶
しておき、
前記収納手段に収納された医薬品と、前記収納医薬品情報との差を検出することで、誤収納を検出することを特徴とする、請求項１１から１６のいずれか一項に記載の医薬品管理方法。
【請求項１８】
前記収納手段に収納された医薬品の使用期限および／または保管状態に基づいて、前記医薬品が使用可能か否かを判定することを特徴とする、請求項１１から１７のいずれか一項に記載の医薬品管理方法。
【請求項１９】
前記医薬品を該医薬品に応じた環境条件を維持しつつ保管する環境維持保管手段と、
前記環境維持保管手段における前記環境条件に関する情報を取得する保管環境検知手段と、
前記医薬品が前記環境維持保管手段によって保管されていることを検知する保管状態検知手段と、をさらに有し、
前記保管環境検知手段及び前記保管状態検知手段による検知情報に基づいて、前記医薬品が使用可能か否かを判定することを特徴とする、請求項１８に記載の医薬品管理方法。
【請求項２０】
前記医薬品を該医薬品に応じた環境条件を維持しつつ運搬することが可能な環境維持運搬手段と
前記環境維持運搬手段における前記環境条件に関する情報を取得する運搬環境検知手段と、
前記医薬品が前記環境維持運搬手段によって運搬されていることを検知する運搬状態検知手段と、をさらに有し、
前記保管環境検知手段、前記運搬環境検知手段、前記保管状態検知手段及び、前記運搬状態検知手段による検知情報に基づいて、前記医薬品が使用可能か否かを判定することを特徴とする、請求項１９に記載の医薬品管理方法。
【発明の詳細な説明】
【技術分野】
【０００１】
本発明は、医薬品管理システム及び、医薬品管理方法に関する。
【背景技術】
【０００２】
小児クリニック等、患者として小児を診療、検診対象とする医療機関においては、患者にワクチンの投与（予防接種）を行う機会が多い。そして、そのような医療機関においては、限られたスタッフで、多数のチェック項目を確認しながら患者に対応する必要があるため、ワクチンの誤投与や期限切れ、温度管理の不備などの不都合が生じる場合があった。このようなワクチンを投与することは、薬機法で定める基準及び、予防接種実施規則に違反するのみならず、患者である小児の健康被害に繋がる場合があり重要な問題となっていた。
【０００３】
上記のワクチンの多くはさほど高額ではないが、医薬品メーカーの生産および流通在庫が限られ、保冷品であり、かつ使用期限が短く、返品ができない製品であるため、在庫の量と種類を適切に維持することが困難であった。また、製品を供給する医薬品メーカーが少ないため、不測の需要増加や検定落ちなどにより需要と供給のバランスが崩れ、医療機関に必要量のワクチンが供給されない場合もあった。また、自治体や医療機関が負うワクチンの在庫負担や廃棄リスクも課題となっていた。
【０００４】
さらに、上記のように医療機関において在庫の量と種類を適切に維持することが困難なため、患者である小児の保護者にとっては、患者である小児の体調が良い時に、気軽に予防接種に行くといったことができず通院の自由度が少ないという問題があった。このように、医療機関において、適切な量、種類、品質のワクチンの在庫及び安心、安全かつ効率的な患者投与を可能とする技術の要望が高まっている。
【０００５】
一方、比較的規模の大きい医療機関においては、手術時の麻酔薬の管理に関して、盗難やセキュリティ等のリスクを抱えている場合がある。また、ミキシング後の注射剤の期限管理（調製後３〜４日）にも多くの負担を負っている実情がある。さらに、医療機関内では手術毎に必要な麻酔薬の種類および量を予めリスト化し、薬剤部でセット化して事前に手術室に準備する業務がある。また、手術後に回収したセット化された麻酔薬の使用状況（製品、数量、ロット期限等）を確認し、次回の手術に不足分を補充する業務がある。そして、この麻酔薬のセット化業務のために、薬剤部やＳＰＤスタッフなどが多くの業務時間を割いている。このように、医療機関においては、適切な量、種類、品質の麻酔薬の在庫及び安心、安全かつ効率的な在庫、品質、発注、請求管理を可能とする技術の要望も高まっている。
【先行技術文献】
【特許文献】
【０００６】
【特許文献１】特許第６２３５６５０号公報
【発明の概要】
【発明が解決しようとする課題】
【０００７】
本発明は上記の問題を解決するためになされたものであり、その目的は、ワクチンや麻酔薬等の医薬品について、適切な量、種類、質の麻酔薬の在庫及び患者へ投与を可能とする技術を提供することである。
【課題を解決するための手段】
【０００８】
本発明は上記の課題を解決するためになされたものであり、一または複数の医薬品を一時的に収納する収納手段と、
前記一または複数の医薬品の各々に施された第一の識別子と、
前記収納手段に施された第二の識別子と、
前記第一の識別子により前記一または複数の医薬品を識別するとともに前記第二の識別子により前記収納手段を識別する識別手段と、
前記識別手段により識別された、前記一または複数の医薬品と該医薬品が収納された前記収納手段と、を関連付けて記憶する記憶手段と、
を備えることを特徴とする、医薬品管理システムである。
【０００９】
すなわち、本発明では、医薬品をセット化して収納手段に収納し、識別手段によって、各収納手段に収納されている医薬品を個別に識別し、記憶手段に、前記識別手段により識別された、前記一または複数の医薬品と該医薬品が収納された前記収納手段と、を関連付けて記憶する。これにより、医薬品を使用、補充する際の管理を効率的に行うことが可能となる。
【００１０】
また、本発明においては、前記一または複数の医薬品が使用された患者に付与される第三の識別子をさらに備え、
前記識別手段は、前記第三の識別子により前記患者を識別し、
前記記憶手段は、前記識別手段により識別された、前記一または複数の医薬品と該医薬品が収納された前記収納手段と該医薬品が使用された患者と、を関連付けて記憶するようにしてもよい。
【００１１】
これによれば、セット化して収納手段に収納して管理した医薬品を、さらに使用すべき患者と関連づけて管理することが可能となる。これによれば、セット化して管理した医薬品を使用する患者を誤認する等のリスクを低減し、医薬品の患者への投与の精度を向上させることが可能となる。
【００１２】
また、本発明においては、前記記憶手段により記憶された、前記識別手段により識別された、前記一または複数の医薬品と該医薬品が使用された患者との関連に基づいて、前記患者への医薬品の使用計画を作成する計画作成手段をさらに備えるようにしてもよい。これによれば、患者への正確な投与情報をもとに、医薬品の以後の使用計画を自動的に作成することが可能となり、より効率的に正確な計画を立てることができる。
【００１３】
また、本発明においては、前記医薬品は予防接種用ワクチンであり、前記収納手段は患者単位に設けられた予防接種トレイであり、前記第三の識別子は、前記患者に付与される患者カード（診察券に第三の識別子をつける等含む）に施されるようにしてもよい。これによれば、ワクチンを予防接種トレイに収納して管理することで、物理的な誤認を低減できるとともに、これらと、これらを投与する患者との関係を自動的に管理することができ、ワクチンの誤投与等のリスクを低減することが可能である。
【００１４】
また、本発明においては、前記識別手段により、前記医薬品の使用前後における前記収納手段と、該収納手段に収納された医薬品とを識別することで、前記収納手段に収納された前記医薬品のうち使用された医薬品を検出する使用医薬品検出手段をさらに備えるようにしてもよい。これによれば、患者に適切な医薬品が使用されたか否かをより容易に判定及び記録することができ、医薬品管理の精度を向上させることができる。
【００１５】
また、本発明においては、前記使用医薬品検出手段によって検出された内容に基づいて、
前記使用された医薬品の補充のための情報を作成する補充情報作成手段をさらに備える
ようにしてもよい。これによれば、患者に使用することで収納手段から除外された医薬品について自動的に補充を促進することができ、医薬品の在庫を適切に維持することが可能となる。
【００１６】
また、本発明においては、前記記憶手段は、前記収納手段に収納されるべき医薬品の組み合わせの情報である収納医薬品情報を記憶し、前記収納手段に収納された医薬品と、前記収納医薬品情報との差を検出する、誤収納検出手段をさらに備えるようにしてもよい。これによれば、前記収納手段に収納されるように予定された医薬品の全てが実際に収納されているか否かを自動的に判定することが可能となる。
【００１７】
また、本発明においては、前記収納手段に収納された医薬品の使用期限および／または保管状態に基づいて、前記医薬品が使用可能か否かを判定する使用可否判定手段をさらに備えるようにしてもよい。これによれば、使用期限が経過したり、使用状態が適切でないことにより、使用不可能な医薬品を誤って患者に投与することを自動的に防止することが可能となる。
【００１８】
また、本発明においては、前記医薬品を該医薬品に応じた環境条件を維持しつつ保管する環境維持保管手段と、
前記環境維持保管手段における前記環境条件に関する情報を取得する保管環境検知手段と、
前記医薬品が前記環境維持保管手段によって保管されていることを検知する保管状態検知手段と、をさらに備え、
前記使用可否判定手段は、前記保管環境検知手段及び前記保管状態検知手段による検知情報に基づいて、前記医薬品が使用可能か否かを判定するようにしてもよい。
【００１９】
ここで前述のように、多くの種類の医薬品については、厳格な周囲環境管理が求められている。そして、その医薬品について求められる環境条件から外れた環境に晒された医薬品については、患者への投与が困難となる。
【００２０】
これに対し、本発明では、医薬品を該医薬品に応じた環境条件を維持しつつ保管する環境維持保管手段に保管することが前提となっている。そして、環境維持保管手段における環境条件に関する情報を取得する保管環境検知手段と、医薬品が環境維持保管手段によって保管されていることを検知する保管状態検知手段からの情報によって、医薬品が求められる環境条件から外れた環境に晒された時間と、求められる環境条件から外れた程度についての情報を取得し、これらの情報に基づいて、医薬品の使用の可否を判断する。これによれば、医薬品の品質の劣化を、明確なデータに基づいて客観的に評価することが可能となり、品質保持の観点からの正確な根拠に基づいて医薬品の使用の可否を判断することが可能となる。なお、本発明において、環境条件としては、例えば、周囲の温度、湿度、照度、気圧、衝撃、振動などが挙げられる。
【００２１】
また、本発明においては、前記医薬品を該医薬品に応じた環境条件を維持しつつ運搬することが可能な環境維持運搬手段と、前記環境維持運搬手段における前記環境条件に関する情報を取得する運搬環境検知手段と、前記医薬品が前記環境維持運搬手段によって運搬されていることを検知する運搬状態検知手段と、をさらに備え、
前記使用可否判定手段は、前記保管環境検知手段、前記運搬環境検知手段、前記保管状態検知手段及び、前記運搬状態検知手段による検知情報に基づいて、前記医薬品が使用可能か否かを判定するようにしてもよい。
【００２２】
ここで、上記のような医薬品を確実に使用可能に維持するためには、流通業者や医療機関等において医薬品が、求められる環境条件において保管されるだけでなく、メーカーか
ら流通業者、流通業者から医療機関等への移動中においても、医薬品が、求められる環境条件が維持された状態で運搬される必要がある。さらに、医薬品がメーカーから出荷された後における、該医薬品が求められる環境条件から外れた環境に晒された時間および／または、求められる環境条件から外れた程度を正確に検知するには、流通業者や医療機関等における医薬品の保管状態のみならず、メーカーから流通業者、流通業者から医療機関等への運搬途中における状態についても確認する必要がある。
【００２３】
よって、本発明においては、医薬品を該医薬品に応じた環境条件を維持しつつ運搬することが可能な環境維持運搬手段と、環境維持運搬手段における前記環境条件に関する情報を取得する運搬環境検知手段と、医薬品が前記環境維持運搬手段によって運搬されていることを検知する運搬状態検知手段と、をさらに備え、前記使用可否判定手段は、前記保管環境検知手段、前記運搬環境検知手段、前記保管状態検知手段及び、前記運搬状態検知手段による検知情報から、前記医薬品の使用可否を判定する。
【００２４】
これによれば、医薬品がメーカーから出荷された後における、該医薬品が求められる環境条件から外れた環境に晒された時間および／または、求められる環境条件から外れた程度をより正確に検知することが可能となり、より正確に、前記医薬品の使用可否を判定することが可能となる。
【００２５】
また、本発明は、一または複数の医薬品を一時的に収納する収納手段と、
前記一または複数の医薬品の各々に施された第一の識別子と、
前記収納手段に施された第二の識別子と、
前記第一の識別子により前記一または複数の医薬品を識別するとともに前記第二の識別子により前記収納手段を識別する識別手段と、を有し、
前記識別手段により識別された、前記一または複数の医薬品と該医薬品が収納された前記収納手段と、を関連付けて管理することを特徴とする、医薬品管理方法であってもよい。
【００２６】
また、本発明は、前記一または複数の医薬品が使用された患者に付与される第三の識別子をさらに備え、前記識別手段は、前記第三の識別子により前記患者を識別し、前記識別手段により識別された、前記一または複数の医薬品と該医薬品が使用された患者との関連に基づいて、前記患者への医薬品の使用計画を作成することを特徴とする、上記の医薬品管理方法であってもよい。
【００２７】
また、本発明は、前記医薬品は予防接種用ワクチンであり、前記収納手段は患者単位に設けられた予防接種トレイであり、前記第三の識別子は、前記患者に付与される患者カードに施されることを特徴とする、上記の医薬品管理方法であってもよい。予防接種トレイは、箱、棚などの様態としてもよい。
【００２８】
また、本発明は、前記識別手段により、前記医薬品の使用前後における前記収納手段と、該収納手段に収納された医薬品とを識別することで、前記収納手段に収納された前記医薬品のうち使用された医薬品を管理することを特徴とする、上記の医薬品管理方法であってもよい。
【００２９】
また、本発明は、前記識別手段により、前記医薬品の使用前後における前記収納手段と、該収納手段に収納された医薬品とを識別することで、前記収納手段に収納された前記医薬品のうち使用された医薬品を検出し、検出された内容に基づいて、前記使用された医薬品の補充のための情報を作成することを特徴とする、上記の医薬品管理方法であってもよい。
【００３０】
また、本発明は、前記収納手段に収納されるべき医薬品の組み合わせの情報である収納医薬品情報を記憶しておき、前記収納手段に収納された医薬品と、前記収納医薬品情報との差を検出することで、誤収納を検出することを特徴とする、上記の医薬品管理方法であってもよい。
【００３１】
また、本発明は、前記収納手段に収納された医薬品の使用期限および／または保管状態に基づいて、前記医薬品が使用可能か否かを判定することを特徴とする、上記の医薬品管理方法であってもよい。
【００３２】
また、本発明は、前記医薬品を該医薬品に応じた環境条件を維持しつつ保管する環境維持保管手段と、前記環境維持保管手段における前記環境条件に関する情報を取得する保管環境検知手段と、前記医薬品が前記環境維持保管手段によって保管されていることを検知する保管状態検知手段と、をさらに有し、前記保管環境検知手段及び前記保管状態検知手段による検知情報に基づいて、前記医薬品が使用可能か否かを判定することを特徴とする、上記の医薬品管理方法であってもよい。
【００３３】
また、本発明は、前記医薬品を該医薬品に応じた環境条件を維持しつつ運搬することが可能な環境維持運搬手段と、前記環境維持運搬手段における前記環境条件に関する情報を取得する運搬環境検知手段と、前記医薬品が前記環境維持運搬手段によって運搬されていることを検知する運搬状態検知手段と、をさらに有し、前記保管環境検知手段、前記運搬環境検知手段、前記保管状態検知手段及び、前記運搬状態検知手段による検知情報に基づいて、前記医薬品が使用可能か否かを判定することを特徴とする、上記の医薬品管理方法であってもよい。
【００３４】
なお、本発明においては、できる限り上記の各手段を組合せて使用することが可能である。
【発明の効果】
【００３５】
本発明によれば、ワクチンや麻酔薬等の医薬品について、適切な量、種類、質の在庫を維持するとともに、患者への適切な量、種類、品質の投与が可能となる。
【図面の簡単な説明】
【００３６】
【図１】本発明の実施例に係る医薬品メーカーから医療機関等までにおける医薬品の管理について示す図である。
【図２】本発明の実施例における基幹サーバのハードウェア構成の概略を示す図である。
【図３】本発明の実施例１における医療機関のワクチンの管理について示す図である。
【図４】本発明の実施例１におけるワクチン投与予定テーブルの例を示す図である。
【図５】本発明の実施例１における医療機関のワクチンの管理の前半部分についてのフローチャートである。
【図６】本発明の実施例１における医療機関のワクチンの管理の後半部分についてのフローチャートである。
【図７】本発明の実施例１における医薬品管理システムの機能ブロック図である。
【図８】本発明の実施例２における医療機関の麻酔薬の管理について示す図である。
【図９】本発明の実施例２における麻酔薬セットテーブルについて示す図である。
【図１０】本発明の実施例２における流通業者の機能について示す図である。
【図１１】本発明の実施例２における医薬品管理システムの機能ブロック図である。
【発明を実施するための形態】
【００３７】
〔実施例１〕
以下、本発明の実施例１について図面を参照しつつ詳細に説明する。図１には、本実施例に係る医薬品管理システムにおける医薬品５の流通の態様を示す。図１において医薬品５の実際の流通経路は実線矢印で、情報の経路は破線矢印で示されている。図１においてブロック１は医薬品メーカー、ブロック２は流通業者、ブロック３は病院、診療所または保険薬局といった医療機関等を示す。また、ブロック４は医療機関等３において医薬品の投与を受ける患者を示す。なお、図１における流通業者とは、卸業者や運搬業者等、医薬品メーカー１と医療機関等３の間に介入する業者の全てが含まれ得る。なお、医薬品メーカー１や保険薬局が自ら流通業者２としての役割を担うことがあってもよい。
【００３８】
医薬品メーカー１が生産した、ワクチン等の医薬品５については、厳しい温度管理が求められるため、移動中の温度管理が可能な保冷コンテナ６に収納された状態で流通業者２に仕入れられる。また、流通業者２によって販売されるまでの期間は、医薬品５は冷蔵保管庫７にて温度管理がなされた状態で、流通業者２において保管される。そして、販売先の医療機関等３が決まれば、医薬品５は冷蔵保管庫７から出庫され、再び保冷コンテナ１６に収納された状態で医療機関等３まで運搬される。そして、医療機関等３においては、医薬品５は保冷コンテナ１６から取り出されて冷蔵保管庫１７に入庫・保管される。さらに、患者４に投与される際には冷蔵保管庫１７から出庫されて投与される。
【００３９】
本実施例においては、医薬品５（医薬品自体若しくは医薬品の梱包）にその医薬品５のＩＤが記録された識別素子５ａを取り付ける。また、識別素子５ａによる医薬品５の識別情報を検知可能な読取センサ６ａ及び内部の温度履歴情報の取得が可能な温度センサ６ｂを、環境維持運搬手段としての保冷コンテナ６に取り付ける。そして、読取センサ６ａ及び温度センサ６ｂの出力信号は、無線通信により情報管理装置８に送信され、必要に応じ記録される。これにより、所定のＩＤを有する医薬品５が、保冷コンテナ６内に収納されているか否かの情報と、保冷コンテナ６内の温度履歴情報がリアルタイムに記録可能となっている。
【００４０】
その結果、医薬品メーカー１から流通業者２への医薬品の移動中に医薬品５が保冷コンテナ６内に確実に収納されていることが検知可能となり、また、保冷コンテナ６内の温度履歴が検知可能となっている。同様に、読取センサ１６ａ及び温度センサ１６ｂにより、流通業者２と医療機関等３との間の医薬品５の移動中に、医薬品５が保冷コンテナ１６内に確実に収納されていることが検知可能となり、また、保冷コンテナ１６内の温度履歴が検知可能となっている。
【００４１】
また、図１に示す医薬品管理システムでは、流通業者２及び医療機関等３に備えられている冷蔵保管庫７、１７にも識別素子５ａによる医薬品５の識別情報を検知可能な読取センサ７ａ、１７ａ及び温度履歴情報の取得が可能な温度センサ７ｂ、１７ｂが取り付けられる。そして、読取センサ７ａ、１７ａ及び、温度センサ７ｂ、１７ｂの出力信号は、無線通信により情報管理装置８にリアルタイムに送信・記録される。これにより、所定のＩＤを有する医薬品５が、冷蔵保管庫７、１７内に保管されているか否かの情報と、冷蔵保管庫７、１７内の温度履歴情報がリアルタイムに記録可能となっている。
【００４２】
なお、上記において識別素子５ａと読取センサ７ａ、１７ａとは、保管状態検知手段を構成する。識別素子５ａと読取センサ６ａ、１６ａとは、運搬状態検知手段を構成する。また、温度センサ６ｂ、１６ｂは、運搬環境検知手段に相当する。また、温度センサ７ｂ、１７ｂは、保管環境検知手段に相当する。本実施例における冷蔵保管庫７、１７は、箱型タイプに限定されず、例えば保冷室などの部屋単位もしくはフロア単位とするようにしてもよい。
【００４３】
ここで、識別素子５ａは、例えばＩＣタグやＲＦＩＤタグ（アクティブ方式及びパッシブ方式の双方を含む）であってもよく、この場合には読取センサ６ａ、１６ａ、７ａ、１７ａはＲＦＩＤリーダーであってもよい。また、識別素子５ａ及び、読取センサ６ａ、１６ａ、７ａ、１７ａは、互いにブルートゥース（登録商標）等の近距離ワイヤレス通信が可能な機器で構成してもよい。また、識別素子５ａは、医薬品５のＩＤが識別可能な磁界や光を発信するデバイスであってもよく、この場合には読取センサ６ａ、１６ａ、７ａ、１７ａは磁気センサや光センサであってもよい。さらに、識別素子５ａはアクティブに電磁界や光等の信号を発信するものでなくても良く、例えば、バーコードやＱＲコード（登録商標）が印刷されたラベル等でもよい。この場合には読取センサ６ａ、１６ａ、７ａ、１７ａはバーコードリーダーやＱＲコード（登録商標）リーダーであってもよい。
【００４４】
また、前述のように、読取センサ６ａ、１６ａ、７ａ、１７ａ及び温度センサ６ｂ、１６ｂ、７ｂ、１７ｂには通信機能を付け、情報管理装置８に医薬品５のＩＤ及び所在に関する情報と温度履歴情報とをリアルタイムに送信し、情報管理装置８において各情報を受信、記録してもよいが、読取センサ６ａ、１６ａ、７ａ、１７ａ及び温度センサ６ｂ、１６ｂ、７ｂ、１７ｂ自体、保冷コンテナ６、１６または冷蔵保管庫７、１７に記憶機能を備えて各情報を独立に記録、蓄積するようにしてもよい。
【００４５】
本実施例においては上記の構成により、医薬品５が医薬品メーカー１により製造、保管、出荷（流通業者２より仕入）された後の、医薬品メーカー１から流通業者２までの流通過程、流通業者２における保管過程、流通業者２から医療機関等３までの流通過程、医療機関等３における保管過程において、医薬品５が確実に、保冷コンテナ６、１６か冷蔵保管庫７、１７に保管され、適切な温度管理がなされていたか否かが確認可能となる。
【００４６】
なお、上記において、医薬品５は、後述のように、より小単位に小分けされたものであってもよく、一枚、一錠または一本（バイアル、アンプル、シリンジ等の場合）等、または小分けされた複数種類の医薬品が複数個セットでパッケージになった形態であってもよい。また、この場合、識別素子５ａは、例えば小分けされた医薬品毎あるいは、小分けされたケース毎に取り付けられても良い。
【００４７】
ここで、図１の情報管理装置８には、流通業者２における医薬品５の流通に関する情報を管理するサーバとして基幹サーバ８ａと中間サーバ８ｂが備えられている。基幹サーバ８ａは、流通業者２による医療機関等３からの医薬品５の受注から医療機関等３への医薬品５の納品までの処理に関する情報、流通業者２の在庫に関する情報、包装変更やリコールに関する情報、請求処理に関する情報を管理するサーバである。また、医療機関等３からの返品に際する自動補充、払出し請求等に関する情報も管理する。
【００４８】
一方、中間サーバ８ｂは、流通業者２の基幹サーバ８ａから得られる情報である販売情報（販売価格、顧客情報、取引条件等）の他、後述する保冷コンテナサーバ８ｃ、冷蔵保管庫サーバ８ｄからの情報を管理するサーバである。中間サーバ８ｂは、保冷コンテナサーバ８ｃ、冷蔵保管庫サーバ８ｄからの、医薬品５のＩＤ、所在または存否（運搬中の位置情報や冷蔵保管庫７における入庫、払出しによる在庫情報も含む）等に関する情報及び温度履歴情報と、本実施例における医薬品５の返品・再販売の処理に関わる情報の処理が行われ、基幹サーバ８ａとの間で販売情報等の授受が行われる。
【００４９】
さらに、中間サーバ８ｂは、医薬品メーカー１に対して、必要に応じて情報提供を行う。例えば、保冷コンテナサーバ８ｃ、冷蔵保管庫サーバ８ｄからの、医薬品５のＩＤ、所在または存否（運搬中の位置情報や冷蔵保管庫７における入庫、払出しによる在庫情報も含む）等に関する情報及び温度履歴情報が中間サーバ８ｂと医薬品メーカー１との間で共有される。従って、医薬品５の使用の可否判断において医薬品メーカー１による判断、助
言、追加情報等の提供を受けることが可能となる。その結果、使用可否の判断の精度を向上し、判断に要する期間を短縮化することができる。
【００５０】
また、保冷コンテナサーバ８ｃは、保冷コンテナ６、１６からの情報を収集するサーバであって、読取センサ６ａ、１６ａ及び、温度センサ６ｂ、１６ｂからの出力信号をリアルタイムで受信・記憶する。例えば、本実施例の、流通業者２から医療機関等３までの間の医薬品５の流通経路において、より具体的には、保冷コンテナ１６から保冷コンテナサーバ８ｃに対して、コンテナＩＤ、商品識別子ＩＤ、時刻情報、位置情報、温度履歴情報が送信される。さらに、衝撃、ネットワーク情報等が送信されるようにしてもよい。これらの情報は、保冷コンテナサーバ８ｃから流通業者２が保有する中間サーバ８ｂに送信される。
【００５１】
一方、冷蔵保管庫サーバ８ｄは、冷蔵保管庫７、１７からの情報を収集するサーバであって、読取センサ７ａ、１７ａ及び、温度センサ７ｂ、１７ｂからの出力信号をリアルタイムで受信・記憶する。例えば、本実施例においては、医療機関等３の冷蔵保管庫１７の読取センサ１７ａから、冷蔵保管庫サーバ８ｄに対して、保管庫ＩＤ、商品識別子ＩＤ、時刻情報、位置情報、温度、ネットワーク情報、入庫、消費情報が送信される。そして、冷蔵保管庫サーバ８ｄから流通業者２が保有する中間サーバ８ｂには、同様の情報が送信される。
【００５２】
なお、情報管理装置８における各サーバが設置される場所については特に限定されない。例えば、全てのサーバ８ａ〜８ｄが流通業者２の施設内に設置されてもよいし、図１に示すように、基幹サーバ８ａ及び中間サーバ８ｂは流通業者２の施設内に設置され、保冷コンテナサーバ８ｃは、保冷コンテナ６、１６の管理会社の施設内に設置され、冷蔵保管庫サーバ８ｄは、冷蔵保管庫７、１７の管理会社に設置されるようにしてもよい。また、情報管理装置８における各々のサーバは、医療機関等３が使用しているシステム（電子カルテ、オーダリングシステム、レセプト処理システム、電子薬歴、電子お薬手帳等）と同じ回線、もしくは独自回線で接続されてもよいし、その手段はインターネット回線、電話回線で接続されてもよい。また、全てまたは一部のサーバをクラウド上に設置するようにしてもよい。
【００５３】
なお、上記の医薬品管理システムにおいては、医薬品メーカー１と流通業者２、流通業者２と医療機関等３の間の医薬品５の移動時には、保冷コンテナ６、１６を用いて医薬品５の温度管理を行うこととしたが、本発明における環境維持運搬手段はこれに限られない。例えば、冷蔵車の冷蔵庫、冷凍車の冷凍庫、保冷専用車両または航空機または船舶の荷台等に直接、医薬品５を収納して運搬しても構わない。しかしながら、この場合には、冷蔵車、冷凍車と、冷蔵保管庫７、１７の間の医薬品５の移換え時間、温度を管理し、記録可能としておくことが望ましい。また、医療機関等３が購入し、且つ所有権を持つ医薬品５の流通業者２または医薬品メーカー１への返品、または保険薬局から保険薬局間への医薬品５の移動等における運搬等は、上記の設備やシステムを備える道路運送法や貨物自動車運送事業法に基づく貨物自動車運送事業者が実施することが望ましい。なお、識別素子５ａの医薬品５への取付け場所については、医薬品メーカー１の製造工場や保管施設であってもよく、その国については特に限定されない。
【００５４】
図２は、基幹サーバ８ａのハードウェア構成を示す概略構成図である。基幹サーバ８ａは、図２に示すように、Central Processing Unit（ＣＰＵ）８０ａ、Random Access Memory（ＲＡＭ）８０ｂ、Hard Disk Drive（ＨＤＤ）８０ｃ、例えばNetwork Interface Card（ＮＩＣ）８０ｄ等のネットワークインターフェース機器を備える。ＨＤＤ８０ｃにＯＳ（Operating System）やアプリケーションソフトウェアのプログラムが格納されており、ＣＰＵ８０ａがこれらのプログラムを実行することで、本明細書で説明する機能が提供
される。なお、基幹サーバ８ａは１台のコンピュータによって構成される必要はなく、複数台のコンピュータがネットワークを介して連携することで基幹サーバ８ａが実現されてもよい。中間サーバ８ｂ、保冷コンテナサーバ８ｃ、冷蔵保管庫サーバ８ｄも基本的には同様のハードウェア構成を有する。後述する管理サーバ４３ａ、５３ａについても同様である。
【００５５】
次に、医療機関等３において、医薬品５の一例であるワクチン４５が患者４に投与される場合について考える。医療機関等３においては、適切な量、品質、種類のワクチンを在庫として確保し、適切な時期に適切な量、品質、種類のワクチンを患者４へ投与する必要がある。
【００５６】
これに対し本実施例では、図３に示すように、医療機関等３において、患者単位で予防接種トレイ４６を準備し、この予防接種トレイ４６に、患者４９に投与すべきワクチン４５が収納する。そして、ワクチン４５には個々のワクチン４５を識別するための識別素子４５ａが取り付けられ、予防接種トレイ４６には個々の予防接種トレイ４６を識別するための識別素子４６ａが取り付けられている。また、患者４９には識別素子４８ａが取り付けられた患者カード４８が提供され、患者４９が例えば、首に患者カード４８を掛けることで、患者４９の識別が可能となっている。ここで識別素子４５ａは第一の識別子に相当する。また、識別素子４６ａは第二の識別子に相当する。また、識別素子４８ａは第三の識別子に相当する。
【００５７】
そして、接種前チェックとして、識別手段の一例であるハンディターミナル型の読取センサ４６ｂを用いて、ワクチン４５の識別素子４５ａ、予防接種トレイ４６の識別素子４６ａ、患者カード４８の識別素子４８ａとを検出し、これらの内容情報を組み合わせとして、医療機関等３に設置された管理サーバ４３ａのＨＤＤに記憶させる。これにより、特定の患者４９にいずれの時期に、いずれのワクチンが投与されたかの患者別ワクチン投与データを記録することが可能となっている。なお、管理サーバ４３ａのＨＤＤには、患者名、投与予定ワクチン、投与時期を関連付けて記憶したワクチン投与予定テーブルが記憶されており、患者別ワクチン投与データと、ワクチン投与予定テーブルとを比較することで、患者４９に対して適切にワクチン投与がされているか否かを判定することが可能となっている。図４には、ワクチン投与予定テーブルの例を示す。
【００５８】
次に、図５及び図６に記載したフローチャートを用いて、本発明に係る医薬品管理の処理について説明する。本発明に係る管理が実行されると、先ず、Ｓ１０１において、ワクチン投与時期が到来したかどうかが患者４９によって判断される。より具体的には患者４９である小児の保護者が例えば母子手帳等によって確認してもよいし、上述のワクチン投与予定テーブルのデータに基づいて医療機関等３がワクチン投与時期の到来を判断し、患者４９の保護者に連絡してもよい。ここで、ワクチン投与時期が到来していないと判定された場合には、Ｓ１０１の前に戻ることで、Ｓ１０１の処理が繰り返して実行される。一方、ワクチン投与時期が到来していると判定された場合には、Ｓ１０２に進む。
【００５９】
Ｓ１０２においては、医療機関等３に患者４９が来院する。そして、Ｓ１０３において、患者４９の確認が行われる。より具体的には、氏名、年齢、性別、過去の投与履歴、基礎疾患、アレルギー、来院時の体温等の体調等が確認される。さらに、Ｓ１０４において、患者４９に患者カード４８が貸与される。患者カード４８は、患者４９の首から掛けることで患者４９が患者カード４８を身に着けることが可能となっている。また、前述のように、この患者カード４８には患者ＩＤが記録された識別素子４８ａが搭載されており、これにより患者４９に患者ＩＤ４８が付与された状態となる。
【００６０】
Ｓ１０１においてワクチン投与時期が到来したと判定された場合には、Ｓ１０２の処理
と並行して、Ｓ１０５の処理が実行される。Ｓ１０５においては、冷蔵保管庫４７が開錠される。その際、作業者ＩＤが冷蔵保管庫４７の入力装置から入力され、開錠されたことが読取センサ４７ａで読み取られることで、作業者ＩＤと開錠日時が冷蔵保管庫サーバ８ｄに送信される。その際、作業者ＩＤ及び開錠日時は医療機関等３の管理サーバ４３ａにも送信されてもよい。
【００６１】
次に、Ｓ１０６において、冷蔵保管庫１７から今回投与されるワクチン４５が取り出される。その際、ワクチン４５に取り付けられた識別素子４５ａのＩＤが読取センサ１７ａにより読み取られ冷蔵保管庫サーバ８ｄに送信される。ここでも、その際、識別素子４５ａのＩＤが医療機関等３の管理サーバ４３ａにも送信されてもよい。そして、Ｓ１０７において、取り出されたワクチン４５は収納手段の一例である予防接種トレイ４６に収納される。
【００６２】
次に、Ｓ１０８においては、ハンディターミナル型の読取センサ４６ｂによって患者カード４８の識別素子４８ａの内容が読み取られる。また、予防接種トレイ４６の識別素子４６ａの内容と、ワクチン４５の識別素子４５ａの内容が読み取られる。これにより、患者４９の患者ＩＤと、患者４９のために使用される予防接種トレイ４６と、患者４９に投与されるワクチン４５とが関係づけられて、医療機関等３の管理サーバ４３ａのＨＤＤに記憶される。そして、Ｓ１０８の処理が終了するとＳ１０９に進む。ここで、管理サーバ４３ａのＨＤＤは記憶手段を構成する。
【００６３】
Ｓ１０９においては、読み取られた患者ＩＤに係る患者４９と、読み取られたトレイＩＤに係る予防接種トレイ４６、読み取られた医薬品ＩＤに係るワクチン４５の関係が、Ｓ１０３において得た問診票による患者４９の情報及び、患者４９に対して予め作成された使用計画の一例としてのワクチン投与予定テーブルに記載された内容と整合しているか否かが判定される。ここで、ハンディターミナル型の読取センサ４６ｂで読み込まれた内容が患者４９の情報及びワクチン投与予定テーブルの内容と整合すると判定された場合には、Ｓ１１０に進む。一方、読み込まれた内容がワクチン投与予定テーブルの内容と整合しないと判定された場合には、Ｓ１１１に進む。また、読取センサ４６ｂは、据え置き型やゲート型の様態としてもよい。
【００６４】
Ｓ１１１においては、冷蔵保管庫１７が再度開錠され、Ｓ１１２において予防接種トレイ４６に収納されているワクチン４５が冷蔵保管庫１７に再格納される。そして、Ｓ１０５〜Ｓ１０９の処理が再度実行される。そして、Ｓ１０９において、ハンディターミナル型の読取センサ４６ｂで読み取られた内容が患者４９の情報及びワクチン投与予定テーブルの内容と整合すると判定されるまで、Ｓ１０５〜Ｓ１１９、Ｓ１１１、Ｓ１１２の処理が繰り返し実行される。また、読取センサ４６ｂは、据え置き型やゲート型の様態としてもよい。
【００６５】
Ｓ１１０においては、患者４９にワクチン４５が投与される。そして、Ｓ１１３においては、患者４９へワクチン４５が投与された情報と日付について、管理サーバ４３ａにデータが転送されワクチン投与予定テーブルにデータが格納される。そして、Ｓ１１４において、ワクチン投与予定テーブルの内容に従って、管理サーバ４３ａによって次回以降のワクチン４５の投与スケジュール表が発行される。この際の管理サーバ４３ａは計画作成手段に相当する。これは患者４９である小児の保護者に手渡される。そして、Ｓ１１５では、管理サーバ４３ａにおいて、ワクチン投与予定テーブルとは別に設けられた来院予約システムに次回来院の予定が登録される。ここで、管理サーバ４３ａは計画作成手段を構成する。
【００６６】
Ｓ１１０において患者へのワクチン４５の投与が完了した後には、Ｓ１１３の処理と並
行して、Ｓ１２０の処理が実行される。Ｓ１２０では、流通業者２の中間サーバ８ｂにおいて、冷蔵保管庫１７における在庫設定数が発注点以上か否かが判定される。ここで、冷蔵保管庫１７における在庫設定数が発注点以上であれば、本ルーチンはそのまま一旦終了する。
【００６７】
一方、冷蔵保管庫１７における在庫数が発注点未満である場合には、Ｓ１２１に進む。Ｓ１２１においては、冷蔵保管庫１７に対して在庫すべきワクチン４５が出荷される。その際、出荷されるワクチン４５の製品名、規格容量、使用期限、保管環境と識別子ＩＤとの関連付けがなされる。Ｓ１２１が終了するとＳ１２２に進む。Ｓ１２２においては、流通業者２における倉庫内のワクチン４５の在庫設定数が発注点以上か否かが判定される。ここで流通業者２の倉庫におけるワクチン４５の在庫設定数が発注点以上である場合には、本ルーチンを一旦、終了する。一方、倉庫内のワクチン４５の在庫設定数が発注点未満である場合には、Ｓ１２３に進み、医薬品メーカー１にワクチン４５が発注される。また、Ｓ１２１において冷蔵保管庫１７に対してワクチン５５が出荷された後には、Ｓ１２２の処理と並行してＳ１２４において冷蔵保管庫１７へのワクチン４５の納品が行われる。このＳ１２４の処理が終了すると本ルーチンが一旦終了する。
【００６８】
なお、上記のフローチャートのＳ１０９において、読み取られた医薬品ＩＤから、ワクチン４５の使用期限及び、冷蔵保管庫４７に格納される前の温度履歴からワクチン４５の使用可否を判断してもよい。ここで、ワクチン４５が使用不可と判定された場合には、当該ワクチン４５は廃棄されるとともに、Ｓ１０５の処理に戻る。この場合の管理サーバ４３ａは、使用可否判定手段に相当する。
【００６９】
以上、説明したように、本実施例においては、医療機関等３において、ワクチン投与予定テーブルに基づいて、患者４９に、そのタイミングにおいて投与されるべきワクチン４５を、確実に投与することが可能となる。また、同時に、ワクチン４５の種類、量、使用可否を判定することができる。これにより、ワクチン４５の誤投与や期限切れ、品質逸脱投与を、より確実に防止することが可能となる。なお、本実施例において、医薬品管理システム１０は、保冷コンテナ６、１６、冷蔵保管庫７、１７（４７）、情報管理装置８、管理サーバ４３ａ、予防接種トレイ４６、ハンディターミナル型の読取センサ４６ｂ、患者カード４８を含んで構成される。しかしながら、本発明は、保冷コンテナ６、１６、冷蔵保管庫７において医薬品の温度管理を行わないシステムに適用することも可能である。すなわち、医療機関等３の冷蔵保管庫４７に医薬品４５が格納されるまでに使用されるシステム構成については必須ではない。また、読取センサ４６ｂは、据え置き型やゲート型の様態としてもよい。なお、図７には、本実施例にかかる医薬品管理システム１０の機能ブロック図の例を示す。
【００７０】
〔実施例２〕
次に、本発明の実施例２について説明する。本実施例においては、本発明を比較的大規模な医療機関等における麻酔薬の管理に適用した例について説明する。図８には、本実施例における医薬品管理について示す。本実施例における医薬品５の例である麻酔薬５５は、冷蔵保存の必要がないことを前提としている。この場合には、必ずしも冷蔵保管庫１７は必要なく、あるいは、冷蔵保管庫１７の電源はＯＦＦされていてもよく、医療機関等３における麻酔薬５５は定数棚５７に保管されている。この定数棚５７には、読取センサ５７ａが備えられ、定数棚５７からの麻酔薬５５の取り出し及び格納について読取可能となっている。
【００７１】
そして本実施例では、手術の事前準備として、定数棚５７から手術に使用される麻酔薬５５が取り出される。そして、麻酔薬５５が予めセット化されて収納手段としての麻酔トレイ５６に収納される。この麻酔トレイ５６は、手術の種類に応じて複数種類準備される
。すなわち、手術の種類に応じたパターンでセット化された麻酔薬５５が各手術用の麻酔トレイ５６に収納されている。そして、各種類について各々複数枚の麻酔トレイ５６が作製され、トレイ棚（不図示）に並べて格納されている。
【００７２】
セット化された麻酔薬５５を含めて作製された麻酔トレイ５６は、作製完了時に、識別手段としてのハンディターミナル型の読取センサ５６ｂで読み取られる。これにより、各麻酔薬５５に取り付けられた識別素子５５ａと麻酔トレイ５６に取り付けられた識別素子５６ａの内容が読み取られ、管理サーバ５３ａに送信される。管理サーバ５３ａでは、読み取った結果が、予め作成され記憶装置としてのＨＤＤに記憶された麻酔薬セットテーブルの内容と整合しているか否かを判定する。また、読取センサ５６ｂは、据え置き型やゲート型の様態としてもよい。
【００７３】
より具体的には、各麻酔トレイ５６のＩＤと、収納されている麻酔薬のＩＤの組合せが予定の組合せになっているかの他、各麻酔薬５５の医薬品名、規格容量、ロット期限、数量についても確認される。そして、読み取った結果が、麻酔薬セットテーブルの内容と整合している場合には、トレイ棚に格納される。また、その際、麻酔薬セットテーブルのデータより、麻酔薬の期限切れについても確認され、期限の切れた麻酔薬が混入していた場合には、その旨が報知される。この場合の管理サーバ５３ａは使用可否判定手段として機能する。図９には、麻酔薬セットテーブルの例を示す。ここで、麻酔薬セットテーブルの情報は、収納医薬品情報に相当する。また、この場合の管理サーバ５３ａは、誤収納検出手段として機能する。
【００７４】
そして、医療機関等３において手術が行われる際には、行われる手術に応じた種類の麻酔トレイ５６が選択され、手術室に運ばれる。この際、手術の種類に応じて、使用する麻酔薬５５の組み合わせが決定されるので、実際に手術で使用される麻酔薬５５の組み合わせを含む麻酔トレイ５６が選択される。そして、麻酔トレイ５６に格納された麻酔薬５５のうち、必要な種類と量の麻酔薬５５が手術において使用され、使用されずに残った麻酔薬５５が格納された状態の麻酔トレイ５６が手術室から返却される。返却された麻酔トレイ５６と、残った麻酔薬５５は、再度、ハンディターミナル型の読取りセンサ５６ｂによってスキャンされる。そして、麻酔トレイ５６の識別素子５６ａ及び、残った麻酔薬５５の識別素子５５ａの内容が読み取られ、その内容は、管理サーバ５３ａに送信され、ＨＤＤに記憶された麻酔薬セットテーブルの内容が参照されることで、手術において使用された麻酔薬５５が特定される。この場合の管理サーバ５３ａは、使用医薬品検出手段を構成する。また、読取センサ５６ｂは、据え置き型やゲート型の様態としてもよい。
【００７５】
そして、ここで特定された、手術において使用された麻酔薬５５の内容が判定される。より具体的には、手術毎に、麻酔薬５５が使用された否かが、医薬品名、規格容量、ロット期限、数量等の情報と麻酔薬セットテーブルの内容により確認される。そして、使用済の麻酔トレイ５６について、使用された麻酔薬５５を定数棚５７から補充し、手術前の状態に戻した後、麻酔トレイ５６はトレイ棚に格納される。また、その際、管理サーバ５３ａにより、手術単位の使用麻酔薬リストが作成され、電子メール等により発注、在庫、請求等に関わる必要部署に送信される。例えば、管理サーバ５３ａにより、流通業者２や、保険薬局に対して、定数棚５７から麻酔トレイ５６に補充すべき麻酔薬５５の情報が送信される。そして、流通業者２や保険薬局により、定数棚５７に対して麻酔薬５５が自動的に補充される。その際の補充すべき麻酔薬５５の情報は、医薬品の補充のための情報であり、その際の管理サーバ５３ａは補充情報作成手段として機能する。
【００７６】
なお、本実施例の医薬品の管理における流通業者２の機能の例としては、図１０に示すようなものが考えられる。流通業者２は自社内に、物流センター２ａ、保険薬局２ｂ、コールセンター２ｃを有している。そして、医薬品メーカー１から流通業者２の物流センタ
ー２ａに、麻酔薬５５が納品される。物流センター２ａにおいては従来どおり、医療機関等３に対して麻酔薬５５を払い出す。あるいは、医療機関等３において余剰となり再使用可能な麻酔薬５５を回収する。また、物流センター２ａは自社内の保険薬局２ｂにも麻酔薬５５を供給する。
【００７７】
保険薬局２ｂにおいては、物流センター２ａから供給された麻酔薬５５を開梱し、各手術に必要な麻酔薬５５をセット化して麻酔トレイ５６に収納した上で、医療機関等３に払い出す。また、医療機関等３において余剰となり再使用可能な麻酔薬５５のセットを回収する。医療機関等３の薬剤部３ａでは、前述のように、各麻酔トレイ５６に収納された麻酔薬５５の内容をハンディターミナル型の読取センサ５６ｂにより確認した上で、手術室３ｂに払い出す。また、手術において使用後の麻酔トレイ５６を回収する。また、薬剤部３ａにおいて管理サーバ５３ａを用いて、各麻酔薬５５の使用期限の管理や、手術後の使用麻酔薬５５の確認及び補充すべき麻酔薬５５の決定を行う。また、読取センサ５６ｂは、据え置き型やゲート型の様態としてもよい。
【００７８】
上記に加えて、流通業者２のコールセンター２ｃが、医療機関等３に対して、在庫数の一元管理、データ分析によるコンサルテーション、病院間の業務の平準化提案等のサービスを提供するようにしてもよい。
【００７９】
以上のように、本実施例においては、手術に用いられる麻酔薬をセット化して管理する場合に、麻酔薬セットテーブルに従い、誤りのないように麻酔薬のセットを作製することが可能となる。また、手術で用いられた麻酔薬の検出、補充、発注処理までを自動的に、より正確に行うことが可能となる。なお、本実施例において、医薬品管理システムは、保冷コンテナ６、１６、冷蔵保管庫７、定数棚５７、情報管理装置８、管理サーバ５３ａ、麻酔トレイ５６、ハンディターミナル型の読取りセンサ５６ｂを含んで構成される。しかしながら、本発明は、保冷コンテナ６、１６、冷蔵保管庫７において医薬品の温度管理を行わないシステムに適用することも可能である。すなわち、医療機関等３の定数棚５７に医薬品５５が格納されるまでに使用されるシステム構成については必須ではない。また、読取センサ５６ｂは、据え置き型やゲート型の様態としてもよい。図１１には、本実施例にかかる医薬品管理システム２０の機能ブロック図を示す。
【００８０】
また、本明細書の説明においては、ワクチン、麻酔薬という医薬品を前提で説明を行ったが、本発明が適用される対象は、ワクチン、麻酔薬以外の医薬品、医療材料、医療機器、検査試薬等に適用されてもよい。
【符号の説明】
【００８１】
１・・・医薬品メーカー
２・・・流通業者
３・・・医療機関等
４・・・患者
５、４５、５５・・・医薬品
５ａ、４５ａ、４６ａ、５５ａ、５６ａ・・・識別素子
６、１６・・・保冷コンテナ
６ａ、１６ａ・・・読取センサ
６ｂ、１６ｂ・・・温度センサ
７、１７、４７・・・冷蔵保管庫
７ａ、１７ａ、４７ａ・・・読取センサ
７ｂ、１７ｂ、４７ｂ・・・温度センサ
８・・・情報管理装置
８ａ・・・基幹サーバ
８ｂ・・・中間サーバ
８ｃ・・・保冷コンテナサーバ
８ｄ・・・冷蔵保管庫サーバ
１０、２０・・・医薬品管理システム
４３ａ、５３ａ・・・管理サーバ
４６・・・予防接種トレイ
４６ｂ、５６ｂ・・・ハンディターミナル型の読取りセンサ
５６・・・麻酔薬トレイ
８０ａ・・・ＣＰＵ
８０ｂ・・・ＲＡＭ
８０ｃ・・・ＨＤＤ
８０ｄ・・・ＮＩＣ
【図１】
2019135633.tif 000003
【図２】
2019135633.tif 000004
【図３】
2019135633.tif 000005
【図４】
2019135633.tif 000006
【図５】
2019135633.tif 000007
【図６】
2019135633.tif 000008
【図７】
2019135633.tif 000009
【図８】
2019135633.tif 000010
【図９】
2019135633.tif 000011
【図１０】
2019135633.tif 000012
【図１１】
2019135633.tif 000013